(57)【要約】【課題】火気を絶やすことなく確実に維持し、且つ高度の防火設備を要することなく安全に運搬できるとともに、火種として使用可能な比較的に高温の火気を得ることができる火気運搬装置を提供する。【解決手段】  本発明に係る火気運搬装置は、燃料タンク１０と、酸化反応部２０と、蓋部３０と、酸素供給部４０を備える。燃料タンク１０は、燃料を貯留する。酸化反応部２０は、燃料の酸化反応を促進する触媒を保持し、燃料タンク１０から供給される燃料を酸化する。蓋部３０は、少なくとも１つの通気孔３１を有し、燃料タンク１０と係合し、酸化反応部２０を覆う。酸素供給部４０は、酸化反応部２０に酸素を随時供給する。【選択図】図１
2020067252.tif 000002
【特許請求の範囲】
【請求項１】
燃料を貯留する燃料タンク（１０）と、
前記燃料の酸化反応を促進する触媒を保持し、前記燃料タンク（１０）から供給される前記燃料を酸化する酸化反応部（２０）と、
少なくとも１つの通気孔（３１）を有し、前記燃料タンク（１０）と係合し、前記酸化反応部（２０）を覆う蓋部（３０）と、
前記酸化反応部（２０）に酸素を随時供給する酸素供給部（４０）
を備える火気運搬装置。
【請求項２】
前記酸化反応部（２０）は、
多孔質材料から形成され、前記触媒を担持するシート状の担持部材（２１）と、
前記燃料タンク（１０）における前記燃料の注入口部（１１）に係合し、前記担持部材（２１）を前記燃料タンク（１０）に支持する支持部（２２）
を含む、請求項１に記載の火気運搬装置。
【請求項３】
前記酸素供給部（４０）は、
酸素ボンベに接続する接続部（４１）と、
前記接続部（４１）に連通しており、前記担持部材（２１）の側部に沿って延びるように前記支持部（２２）に配設され、少なくとも１つの側孔（４２ａ）を有し、前記少なくとも１つの側孔（４２ａ）を介し、前記酸化反応部（２０）に向かって酸素を放出する管状の放出部（４２）
を含む、請求項２に記載の火気運搬装置。
【請求項４】
前記放出部（４２）は、前記支持部（２２）に一体形成されている、請求項３に記載の火気運搬装置。
【発明の詳細な説明】
【技術分野】
【０００１】
本発明は、火気運搬装置に関し、例えば国内外のスポーツの祭典で使用される聖火を目的地まで移送する際に、火気を運搬するのに好適な火気運搬装置に関するものである。
【背景技術】
【０００２】
国内外のスポーツの祭典で使用される聖火、例えばオリンピックの聖火は、周知のように、ギリシャのオリンピア遺跡において灯され、オリンピックの開催地まで移送される。従って、聖火が移送途中に消えてしまうこともしばしば起こり得るために、様々な対策が実施されてきた。例えば、特許文献１等に記載されている懐炉を聖火の移送手段として使用することが考えらえる。
【０００３】
特許文献１に記載の懐炉は、燃料タンクと、火口と、火口を覆う蓋を有し、火口において、燃料を無炎で触媒燃焼させることによって火気を維持する。触媒燃焼であることから、通常の燃焼反応よりはるかに低い温度に火気の温度を抑えることができ、例えガソリン等の揮発性の高い液体燃料が火口にかかったとしても、引火せず、むしろ火気は消失してしまう。従って、当該懐炉を、例えば飛行機のように、火気の持込みに特に厳しい運輸手段においても機体内に持ち込むことができ、火気を簡易に、且つ極めて安全に運搬できる。また、火気の消失に備え、複数の懐炉を火気の運搬に使用しても、嵩張ることがなく、容易に予備を用意できる。
【０００４】
また、当該懐炉は、無炎燃焼であることから、例えば飛行機によって火気を運搬しているときにエアポケットで飛行機が瞬間的に下降しても、炎の消失によって火気が絶えることがなく、火気を確実に維持し、運搬できる。また、触媒燃焼であり、酸化反応が緩やかに進行することから、火気を長時間維持できる。従って、遠隔地からの移送に対応し、燃料を補給することなく火気を維持することができ、燃料の補給の際に火気が絶えることを防止できる。
【先行技術文献】
【特許文献】
【０００５】
【特許文献１】実全昭５８−１０８８２５号公報
【発明の概要】
【発明が解決しようとする課題】
【０００６】
しかしながら、特許文献１に記載の懐炉は、本来、人体を温めるために使用されるものであり、火気運搬装置として使用するとき、種々の点で配慮が必要となる。例えば、特許文献１に記載の懐炉においては、火気の温度は人体を温めるのに最適な温度に設定されており、火種として使用できる比較的に高い温度に設定されていない。
【０００７】
本発明は上記課題に鑑みてなされたものであり、その目的は、火気を絶やすことなく確実に維持し、且つ高度の防火設備を要することなく安全に運搬できるとともに、火種として使用可能な比較的に高温の火気を容易に得ることができる火気運搬装置を提供することにある。
【課題を解決するための手段】
【０００８】
本願に開示する火気運搬装置は、燃料タンク（１０）と、酸化反応部（２０）と、蓋部（３０）と、酸素供給部（４０）を備える。前記燃料タンク（１０）は、燃料を貯留する。前記酸化反応部（２０）は、前記燃料の酸化反応を促進する触媒を保持し、前記燃料タンク（１０）から供給される前記燃料を酸化する。前記蓋部（３０）は、少なくとも１つの通気孔（３１）を有し、前記燃料タンク（１０）と係合し、前記酸化反応部（２０）を覆う。前記酸素供給部（４０）は、前記酸化反応部（２０）に酸素を随時供給する。
【０００９】
本願に開示する火気運搬装置において、前記酸化反応部（２０）は、シート状の担持部材（２１）と、支持部（２２）を含む。前記担持部材（２１）は、多孔質材料から形成され、前記触媒を担持する。前記支持部（２２）は、前記燃料タンク（１０）における前記燃料の注入口部（１１）に係合し、前記担持部材（２１）を前記燃料タンク（１０）に支持する。
【００１０】
本願に開示する火気運搬装置において、前記酸素供給部（４０）は、接続部（４１）と、管状の放出部（４２）を含む。前記接続部（４１）は、酸素ボンベに接続する。前記放出部（４２）は、前記接続部（４１）に連通しており、前記担持部材（２０）の側部に沿って延びるように前記支持部（２２）に配設され、少なくとも１つの側孔（４２ａ）を有し、前記少なくとも１つの側孔（４２ａ）を介し、前記酸化反応部（２０）に向かって酸素を放出する。
【００１１】
本願に開示する火気運搬装置において、前記放出部（４２）は、前記支持部（２２）に一体形成されている。
【発明の効果】
【００１２】
本発明の火気運搬装置によれば、火気を絶やすことなく確実に維持し、且つ高度の防火設備を要することなく安全に運搬できるとともに、火種として使用可能な比較的に高温の火気を容易に得ることができる。
【図面の簡単な説明】
【００１３】
【図１】本発明の実施形態に係る火気運搬装置を示す分解斜視図である。
【図２】本発明の実施形態に係る燃料タンクを示す斜視図である。
【図３】本発明の実施形態に係る火気運搬装置を示す正面図である。
【図４】図３のＡ−Ａ矢視断面図、及びその一部拡大図である。
【発明を実施するための形態】
【００１４】
以下、本発明の実施形態に係る火気運搬装置を図面に基づいて詳しく説明する。なお、以下に説明する実施形態は、本発明を実施するのに好ましい具体例であるから、技術的に種々の限定がなされているが、本発明は、以下の説明において特に発明を限定する旨が明記されていない限り、この実施形態に限定されるものではない。
【００１５】
〈実施形態〉
図１〜図４を参照して、本発明の実施形態に係る火気運搬装置を説明する。図１は、実施形態に係る火気運搬装置を示す分解斜視図である。図２は、実施形態に係る燃料タンクを示す斜視図である。図３は、実施形態に係る火気運搬装置を示す正面図である。図４は、図３のＡ−Ａ矢視断面図、及びその一部拡大図である。
【００１６】
図１に示すように、本実施形態に係る火気運搬装置は、燃料タンク１０と、酸化反応部２０と、蓋部３０と、酸素供給部４０を備える。燃料タンク１０は、燃料を貯留する。実施形態においては、燃料は、ベンジン等の炭化水素を含む液状燃料である。燃料タンク１０は、携行が容易なように、扁平形状に形成されている。また、燃料タンク１０は、図２、図４に示すように、上面に燃料の注入口部１１が突設されており、脱脂綿Ｓを内蔵し、脱脂綿Ｓに浸み込ませた燃料を貯留する。
【００１７】
酸化反応部２０は、燃料の酸化反応を促進する触媒を保持し、燃料タンク１０から供給される燃料を酸化する。すなわち、酸化反応部２０においては、燃料が触媒燃焼によって継続的に酸化され、火気が維持される。触媒は、プラチナを含む。なお、「酸化反応を促進する」とは、触媒を使用しない通常の燃焼反応より低い温度において酸化反応を進行させることをいう。例えば、ベンジンを含む燃料が触媒を用いないで燃焼するとき、７００〜８００℃の高温で酸化反応が進行するのに対し、プラチナ触媒を使用するとき、１３０〜３５０℃の低温で酸化反応が緩やかに進行する。
【００１８】
また、図４に示すように、実施形態においては、酸化反応部２０は、シート状の担持部材２１と、支持部２２を含む。担持部材２１は、多孔質材料から形成され、触媒を担持する。実施形態においては、担持部材２１は、略長方形状であり、触媒としてのプラチナ微粒子を担持する。多孔質材料の素材としては、ガラス繊維が好適に使用できる。また、プラチナ微粒子は、担持部材２１の上側の表面に担持される。更に、実施形態においては、酸化反応部２０は、担持部材２１を保護する衝立状の保護部２３を含む。
【００１９】
図４に示すように、支持部２２は、燃料タンク１０の注入口部１１に係合し、担持部材２１を燃料タンク１０に支持する。実施形態においては、支持部２２は、金属から形成されており、嵌合部２２ａと、台板部２２ｂと、複数の爪部２２ｃを有する。嵌合部２２ａは、一端が開口する筒状部材であり、燃料タンク１０の注入口部１１に嵌合する。台板部２２ｂは、嵌合部２２ａの他端開口を塞ぐように嵌合部２２ａに連設され、上面において担持部材２１を支持する。また、台板部２２ｂは、中央部に、担持部材２１に燃料を導入する燃料導入孔２２ｄを有する。複数の爪部２２ｃは、台板部２２ｂに担持部材２１の周辺部を押さえつけ、担持部材２１を支持部２２に固定する。
【００２０】
蓋部３０は、図１に示すように、少なくとも１つの通気孔３１を有し、燃料タンク１０と係合し、酸化反応部２０を覆う。実施形態においては、蓋部３０は、扁平なキャップ状であり、燃料タンク１０の上部に形成される段部１０ａに嵌合する。なお、実施形態においては、蓋部３０には、通気孔３１が複数形成されている。
【００２１】
酸素供給部４０は、酸化反応部２０に酸素を随時供給する。実施形態においては、酸素供給部４０は、図示しない酸素ボンベに接続する接続部４１と、管状の放出部４２を含む。接続部４１は、放出部４２の一端開口部に連設される管状部材であり、放出部４２と連通している。実施形態においては、接続部４１は、放出部４２と一体形成され、例えば携帯用の酸素ボンベにフレキシブルチューブ５０を介して接続される。そして、酸素供給部４０は、例えば酸素ボンベのコックが開かれたたきに、酸化反応部２０に酸素を供給する。
【００２２】
放出部４２は、図１、図３、図４に示すように、少なくとも１つの側孔４２ａを有し、少なくとも１つの側孔４２ａを介し、酸化反応部２０に向かって酸素を放出する。実施形態においては、放出部４２は、担持部材２１の側部、より具体的には担持部材２１の長辺に沿って延びるように支持部２２に配設される。実施形態においては、放出部４２は金属から形成され、金属製の支持部２２に接合され、支持部２２に一体形成されている。
【００２３】
以上、図１〜図４を参照して説明したように、実施形態の火気運搬装置によれば、酸化反応部２０に燃料タンク１０から燃料が供給され、少なくとも１つの通気孔３１を介し、酸化反応部２０に空気が導入される。酸化反応部２０においては、燃料の酸化反応が触媒によって促進され、触媒を用いない通常の燃焼反応よりも低い温度で緩やかに酸化反応が行われ、火気が維持される。また、酸化反応部２０において維持される火気を火種として使用する際には、酸素供給部４０によって、酸化反応部２０に酸素が供給され、酸化反応部２０における酸化反応が活性化され、火気の温度が上昇される。
【００２４】
実施形態の火気運搬装置においては、無炎の触媒燃焼によって比較的に低温の火気を維持できることから、例えガソリン等の揮発性の高い液体燃料が酸化反応部２０にかかったとしても、引火せず、むしろ火気が消失してしまう。従って、例えば運輸手段の中でも火気の持込みに特に厳しい飛行機によって火気を運搬する際にも、火炎を囲む耐熱容器のような高度の防火設備を設置する必要がなく、火気を簡易に、且つ安全に運搬でき、飛行機を使用して、火気を短時日で運搬できる。
【００２５】
また、触媒燃焼によって酸化反応が緩やかに進行することから、遠隔地からの運搬に対応し、燃料を補給することなく長時間に亘って火気を維持できる。従って、燃料の補給の際に火気が絶えることを防止できる。また、酸化反応が触媒表面で進行し、火気の維持が炎に依存しないことから、炎の消失によって火気が絶えることを防止できる。従って、実施形態の火気運搬装置によれば、火気を絶やすことなく確実に維持し、運搬できるとともに、火種として使用可能な比較的に高温の火気を得ることができる。
【００２６】
また、図１、図３、図４を参照して説明したように、実施形態の火気運搬装置によれば、担持部材２１が、多孔質材料から形成され、支持部２２が、燃料タンク１０における燃料の注入口部１１に係合し、担持部材２１を燃料タンク１０に支持する。従って、燃料タンク１０から担持部材２１に燃料を直接的に供給できる。担持部材２１に燃料を直接的に供給できることによって、燃料パイプ等の燃料通路を特別に設置する必要がなく、燃料パイプによる燃料の送給不良に起因し、火気が絶えることを防止でき、火気をより確実に維持できる。
【００２７】
また、図１、図３、図４を参照して説明したように、実施形態の火気運搬装置によれば、酸素供給部４０が、酸素ボンベに接続する接続部４１と、接続部４１に連通しており、少なくとも１つの側孔４２ａを有し、少なくとも１つの側孔４２ａを介し、酸化反応部２０に向かって酸素を放出する管状の放出部４２を含む。従って、例えば携帯用の酸素ボンベを接続部４１に接続するだけで、酸化反応部２０に酸素を随時供給でき、火種として使用可能な比較的に高温の火気を極めて容易に得ることができる。
【００２８】
また、図１、図３、図４を参照して説明したように、実施形態の火気運搬装置によれば、放出部４２が支持部２２に一体形成されている。酸素供給部４０の放出部４２が酸化反応部２０の支持部２２に一体形成されることによって、酸素供給部４０と酸化反応部２０を１つの部品として取り扱うことができる。従って、例えば酸素供給部４０と酸化反応部２０とが一体化された部品を特許文献１に示されているような懐炉の火口と取り換えることによって、既存の懐炉を本発明に係る火気運搬装置として使用することができ、火気運搬装置の導入コストを低減できる。
【００２９】
なお、既存の懐炉を本発明に係る火気運搬装置として使用するとき、火気を維持できる時間を伸ばすために、懐炉の蓋部に設けられた複数の通気孔のうち、適当な個数の通気孔を例えば粘着テープにより塞ぎ、空気の導入量を抑えてもよい。
【００３０】
以上、図面（図１〜図４）を参照しながら本発明の実施形態を説明した。但し、本発明は、上記の実施形態に限られるものではなく、その要旨を逸脱しない範囲で種々の態様において実施することが可能である。
【符号の説明】
【００３１】
１０…燃料タンク
１１…注入口部
２０…酸化反応部
２１…担持部材
２２…支持部
３０…蓋部
３１…通気孔
４０…酸素供給部
４１…接続部
４２…放出部
４２ａ…側孔
【図１】
2020067252.tif 000003
【図２】
2020067252.tif 000004
【図３】
2020067252.tif 000005
【図４】
2020067252.tif 000006